(57)【要約】      （修正有）【課題】少ない力でモップを回転させ、容易に絞ることができる回転モップを提供する。【解決手段】上下動を行う筒体からなる把手と、固定筒体１２と、螺旋体１３と、無底駒体１４と、回転筒体１５と、モップを取り付ける円盤部材とから少なくとも構成されている。前記螺旋体は、端部が前記固定筒体の上部に固定されており、断面が長方形からなる長い板材を捩じって螺旋状に成形されている。前記無底駒体は、前記固定筒体の内部に入っており、前記螺旋体が上下方向に移動する際に回転力を生じるような前記螺旋体とほぼ同じ傾斜の溝が内部に設けられているとともに、前記回転筒体の内部に設けられている。前記無底駒体は、前記回転筒体の内部に取り付けられているため、前記把手を上下に移動させることにより、前記固定筒体の内部で回転する。また、前記無底駒体は、周囲に回転またはバネ等によって、左右方向に移動できるラチェット機構が設けられている。【選択図】図１
0003163547.tif 000002
【実用新案登録請求の範囲】
【請求項１】
筒体からなる把手と、
前記把手の内部に取り付けられた固定筒体と、
前記固定筒体の上端部に端部が固定されているとともに、連続して捩じられている螺旋体と、
前記螺旋体の上下運動を回転運動に変換できる螺旋溝が内部に設けられているとともに、一方向に突出および埋設できるラチェット機構を備えた無底駒体と、
前記無底駒体の外周に設けられた前記ラチェット機構により、前記無底駒体の回転を一方向に制限される回転筒体と、
前記回転筒体を介してモップを取り付けることができる円盤部材と、
から少なくとも構成されていることを特徴とする回転モップ。
【考案の詳細な説明】
【技術分野】
【０００１】
本考案は、少ない力でモップを回転させ、容易に絞ることができる回転モップに関するものである。本考案は、前記モップ把手の上下運動と、水槽に付いたペダルを足で上下運動させることによる回転運動とを加えて、少ない力でより高速回転によってモップを絞ることができる回転モップに関するものである。
【背景技術】
【０００２】
特開２００３−１０２６６５号公報における回転モップは、床等を清掃した後、清掃を簡単にするものである。前記回転モップは、縒り紐袋を回転自在の角形受座に挿着し、角形受座を支持する支軸に軸受を貫通接続し、前記軸受に柄棒を連結している。前記公報の回転モップは、簡単に表裏反転させることができ、縒り紐袋を効率的に活用し、かつ作業能率の向上をはかるというものである。
【０００３】
実用新案登録第３１５９４６８号に記載されている回転モップ構造は、使用中に回転モップが揺れずに安定性を高くするものである。
【先行技術文献】
【特許文献】
【０００４】
【特許文献１】特開２００３−１０２６６５号公報
【特許文献２】実用新案登録第３１５９４６８号公報
【考案の概要】
【考案が解決しようとする課題】
【０００５】
前記特開２００３−１０２６６５号公報に記載された従来の回転モップは、表裏を反転させることにより、作業能率を向上させるものである。しかし、前記回転モップは、汚れたモップ部分の清掃が容易にできるものではなかった。また、前記実用新案登録第３１５９４６８号公報に記載された回転式モップ構造は、使用中に回転モップが揺れずに安定性を高くするものであった。前記従来の回転モップは、いずれも、少ない力で容易にモップを絞ることができるものではなかった。
【０００６】
以上のような課題を解決するために、本考案は、少ない力で、モップを高速に回転させることができる回転モップを提供することを目的とする。また、本考案は、モップを単に上下動、および／または水槽に付けられた回転部を回転させる足による上下運動を利用することで、少ない力で回転モップを容易に高速回転させ、モップを効率良く絞ることができる回転モップを提供することを目的とする。
【課題を解決するための手段】
【０００７】
本考案の回転モップは、筒体からなる把手と、前記把手の内部に取り付けられた固定筒体と、前記固定筒体の上端部に端部が固定されているとともに、連続して捩じられている螺旋体と、前記螺旋体の上下運動を回転運動に変換できる螺旋溝が内部に設けられているとともに、一方向に突出および埋設できるラチェット機構を備えた無底駒体と、前記無底駒体の外周に設けられた前記ラチェット機構により、前記無底駒体の回転を一方向に制限される回転筒体と、前記回転筒体を介してモップを取り付けることができる円盤部材とから少なくとも構成されていることを特徴とする。
【考案の効果】
【０００８】
本考案によれば、モップ把手を上下動することにより、モップ自体の回転運動を容易に行うことができる。
【０００９】
本考案によれば、モップ把手を上下動することにより、モップが回転して、バケツ内の回転部における回転が加えられ、より高速回転として、モップを絞ることができる。
【００１０】
本考案によれば、モップ把手の上下運動および水槽に設けられた回転運動を合わせることにより、モップの回転運動を約２倍にすることができ、モップの絞りが容易にできる。
【００１１】
本考案によれば、ゆるやかな螺旋体と、無底駒体と、ラチェット機構と、回転筒体の構造とにより、少ない力で上下動を回転運動に変換することができる。
【図面の簡単な説明】
【００１２】
【図１】本考案の回転モップにおいて、把手の上下運動をモップの回転運動に変換する機構を説明するための図である。（実施例１）
【図２】図１におけるＡ−Ａ断面図で、無底駒体と回転筒体との係合および非係合を説明するための図である。
【図３】本考案の回転モップと洗浄および絞りに使用するバケツの使用状態を説明するための図である。
【考案を実施するための形態】
【００１３】
本考案は、上下動を行う筒体からなる把手と、固定筒体と、螺旋体と、無底駒体と、回転筒体と、モップを取り付ける円盤部材とから少なくとも構成されている。前記把手は、手で持つことができる細長な筒体からなり、内部に固定筒体が取り付けられている。螺旋体は、端部が前記固定筒体の上部に固定されており、断面が長方形からなる長い板材を捩じって螺旋状に成形されている。前記螺旋体は、ゆるやかな螺旋形とすることで、前記把手を上下に動かした場合、前記無底駒体の助けにより少ない力で、前記回転筒体に回転力を与えることができるような構造になっている。前記螺旋体は、捩じる方向をいずれの方向にすることも可能である。
【００１４】
前記無底駒体は、前記固定筒体の内部に入っており、前記螺旋体が上下方向に移動する際に回転力を生じるような前記螺旋体とほぼ同じ傾斜の溝が内部に設けられているとともに、前記回転筒体の内部に設けられている。前記無底駒体は、前記回転筒体の内部に取り付けられているため、前記把手を上下に移動させることにより、前記固定筒体の内部で回転する。また、前記無底駒体は、周囲に回転またはバネ等によって、突出および埋設できるラチェット機構が設けられている。前記ラチェット機構は、前記無底駒体に収容できるものであれば、公知の機構を利用することができる。
【００１５】
前記回転筒体は、たとえば、内部に少なくとも一つの前記ラチェット機構の停止部となる突起と、少なくとも一つの緩い弧状を描く凹部が設けられている。前記回転筒体は、前記把手を下げた場合、前記無底駒体のラチェット機構が前記弧状の凹部により、無底駒体の回転を可能にし、前記回転筒体を回転させる。反対に、前記把手を上げた場合、前記回転筒体は、前記無底駒体のラチェット機構が突出し、前記螺旋体ラチェット機構の停止部となる突起に係合することにより、回転筒体とともに上昇する。
【００１６】
前記回転筒体は、たとえば、前記把手の反対側にユニバーサルジョイントを取り付けることにより、モップを取り付けた円盤部材を所定角度に曲げることにより、掃除、洗浄、または絞りが容易にできる。本考案の回転モップは、特に、洗浄の際に、回転モップの上下動を容易にすることができる。
【００１７】
前記回転モップは、水槽の一部に付いている水切り用回転部の回転により、脱水（絞り）をより容易にする。たとえば、前記水槽は、外部に突出している足踏み部を上下することにより、前記上下運動を前記水切り用回転部の回転運動に変換するギアが設けられている。前記回転モップは、足踏み部の上下運動により、前記ギアを介して回転運動を行う水切り用回転部の上に乗せるとともに、前記回転モップを上下に動かす。
【００１８】
前記回転モップの回転は、モップの上下動による回転、および水切り用回転部の回転が合計された速度になる。本考案の回転モップは、足踏みおよび腕の上下運動により、少ない力で、モップ部に約２倍の回転速度を与えることができ、モップを絞ることがで容易にできる。また、本考案の螺旋体、無底駒体、および回転筒体の構造は、上下運動を滑らかにし、少ない力でモップを絞ることができる。
【実施例１】
【００１９】
図１は本考案の回転モップであり、把手の上下運動をモップの回転運動に変換する機構を説明するための図である。図１において、回転モップは、上下動を行う有底筒体からなる把手１１と、前記上下動を回転運動に変換する固定筒体１２と、回転筒体１５と、ユニバーサルジョイント１８と、モップ（図示されていない−公知の回転モップ）を取り付ける円盤部材１９とから少なくとも構成されている。前記把手１１は、内部に固定筒体１２が接着剤等で取り付けられている。また、前記固定筒体１２は、内部に無底駒体１４を介して、回転筒体１５が回動自在に取り付けられている。
【００２０】
螺旋体１３は、断面が長方形からなる長い板材を螺旋状に、任意の角度で捩じられて成形されている。前記板材は、金属製または合成樹脂とすることができる。金属製からなる前記螺旋体１３は、断面が長方形の部材の端部を残し捩じることにより成形される。また、合成樹脂製からなる前記螺旋体１３は、金型により作製することができる。前記螺旋体１３の螺旋形状は、ゆるやかにすることで、前記把手１１を上下に動かした場合、少ない力で大きな回転力を得ることができる。なお、前記螺旋体１３は、左巻きまたは右巻きのいずれとすることも可能である。
【００２１】
前記無底駒体１４は、前記螺旋体１３が上下方向に移動する際に回転力を生じるような前記螺旋体とほぼ同じ傾斜の螺旋溝１４１が設けられているとともに、前記回転筒体１５の内部に接着剤等により取り付けられている。前記無底駒体１４は、前記回転筒体１５の内部に取り付けられているため、前記把手１１を上下に移動させることにより、前記回転筒体１５と共に回転する。前記回転筒体１５は、前記無底駒体１４の反対側に、たとえば、ユニバーサルジョイント１８が取り付けられている。また、前記回転筒体１５は、回転軸体１７を介してユニバーサルジョイント１８に取り付けられる。前記円盤部材１９は、前記ユニバーサルジョイント１８を介してモップを取り付けることにより、前記回転モップを絞る時の操作性を向上させている。
【００２２】
図２は図１におけるＡ−Ａ断面図で、無底駒体と回転筒体との係合および非係合を説明するための図である。図２において、前記回転筒体１５は、ラチェットの停止部１５１と、前記停止部１５１に連設された緩やかな曲線からなる弧状凹部１５２とが内周部に少なくとも一つ設けられている。また、前記無底駒体１４は、ラチェット機構が設けられている。前記ラチェット機構は、突起部２１がバネ２１１により突設および埋設できるような機構になっている。前記把手１１を下方に押した場合、前記突起部２１は、前記回転筒体１５のラチェット停止部１５１と係合することなく、前記突起部２１が弧状凹部１５２の曲線と、前記螺旋体１３とにより回転運動に変換する。前記把手１１を上方に引き上げる場合、前記無底駒体１４は、ラチェット停止部１５１に係合し、前記回転筒体１５を上方に移動させることができる。
【００２３】
図３は本考案の回転モップと洗浄および絞りに使用するバケツの使用状態を説明するための図である。図３において、バケツ３１は、絞りかご３２、歯車機構３３、足踏部３４が設けられている。絞りかご３２は、公知のものであり、下部に回転部が設けられており、前記モップを前記回転部に置き、前記足踏部３４を足で押すことにより、図示されていない歯車機構３３により、上下運動が回転運動に変換される。
【００２４】
前記モップは、バケツ３１の回転部に乗せて把手１１を上下に押す。これと同時に、足によって、足踏部３４を下方に押すことにより、絞りかご３２は、歯車機構３３および回転軸３２１を介して回転するような構成となっいる。前記モップは、前記把手１１を下方への運動および、足踏部３４の運動による回転が相加わり、高速回転となることにより、絞ることができる。すなわち、前記モップは、少ない力で、大きな回転力により、容易に絞ることができる。
【００２５】
以上、本考案の実施例を詳述したが、本考案は、前記実施例に限定されるものではない。そして、本考案は、実用新案登録請求の範囲に記載された事項を逸脱することがなければ、種々の設計変更を行うことが可能である。本考案の回転モップに使用する細部の形状、材質等は、公知あるいは周知のものが使用できる。また、本考案の回転モップにおけるモップは、従来公知のものを使用することができる。本考案の回転モップを洗浄および絞る水槽は、従来のものを使用することができる。
【符号の説明】
【００２６】
１１・・・有底筒体
１２・・・固定筒体
１２１・・・螺旋体取付部
１３・・・螺旋体
１３１・・・断面長方形端部
１４・・・無底駒体
１４１・・・螺旋溝
１５・・・回転筒体
１５１・・・ラチェット停止部
１５２・・・弧状凹部
１６・・・接続筒体
１７・・・回転軸体
１８・・・ユニバーサルジョイント
１８１・・・ユニバーサルジョイント取付部
２１・・・突起部
２１１・・・バネ
３１・・・バケツ
３２・・・絞りかご
３３・・・歯車機構
３４・・・足踏部
【図１】
0003163547.tif 000003
【図２】
0003163547.tif 000004
【図３】
0003163547.tif 000005